(57)【要約】【課題】デザイナーなどがカタログを作成し、営業担当者などが提案書を作成することにより、前記資料を作成する工数がかなり発生する。また、営業担当者などがカタログを作成しようとしても、文字情報の量に適したレイアウトを有するカタログを作成することは困難であった。【解決手段】本願に係る発明は、レイアウト装置を用いて、営業担当者などが文字情報の量に適したレイアウトを有する専門家の美的な知識に基づくカタログの作成を行うことを可能とするものである。そして、営業担当者などが単独で提案書の機能を有するカタログの作成を行うことで、デザイナーにカタログの作成を依頼することなく、カタログ作成の工数を飛躍的に削減することができる。前記レイアウト装置はレイアウト情報保存部とレイアウト情報取得部と文字規制情報保存部と文字情報入力部と入力文字判断部とからなる。【選択図】　　図１
2004110384.tif 000002
【特許請求の範囲】
【請求項１】
印刷物のレイアウトを示す情報であるレイアウト情報を保存するレイアウト情報保存部と、
前記レイアウト情報保存部からレイアウト情報を取得するレイアウト情報取得部と、
レイアウト情報で示されるレイアウト中に配置される文字を、その文字の配置位置と、そのレイアウトと、に関連付けて規制する情報である文字規制情報を保存する文字規制情報保存部と、
レイアウトに対して文字を配置するための情報である文字情報を入力する文字情報入力部と、
前記文字情報入力部で入力された文字情報に基づいて配置される文字が、前記文字規制情報により規制される限界を超えたものであるかを判断する入力文字判断部と、
からなるレイアウト装置。
【請求項２】
前記文字規制情報は、配置される文字の数を示す情報である請求項１に記載のレイアウト装置。
【請求項３】
前記文字規制情報は、配置される文字のフォントの種類を示す情報である請求項１または２に記載のレイアウト装置。
【請求項４】
前記文字規制情報は、配置される文字の大きさを示す情報である請求項１から３のいずれか一に記載のレイアウト装置。
【請求項５】
前記入力文字判断部での判断結果が、規制の限界を超えるものであるとの判断結果である場合には、入力を中断させる請求項１に記載のレイアウト装置。
【請求項６】
前記入力文字判断部での判断結果が、規制の限界を超えるものであるとの判断結果である場合には、入力された文字情報が規制の限界を超えないレイアウト情報を前記レイアウト情報保存部から選択することを促す請求項１に記載のレイアウト装置。
【請求項７】
前記レイアウト情報で示されるレイアウト中の文字、背景、ロゴのいずれか一が有する色情報を、その文字、背景、ロゴのいずれか一の配置位置と、そのレイアウトと、に関連付けて規制する情報である色規制情報を保存する色規制情報保存部をさらに有する請求項１に記載のレイアウト装置。
【請求項８】
前記レイアウト情報で示されるレイアウト中の配置される素材を、その素材の配置位置と、そのレイアウトと、に関連付けて規制する情報である素材規制情報を保存する素材規制情報保存部をさらに有する請求項１に記載のレイアウト装置。
【請求項９】
前記文字情報入力部は分野名、製品名、キャッチ文、サブキャッチ文、リード文、特徴文のいずれかを入力することを特徴とする請求項１に記載のレイアウト装置。
【請求項１０】
レイアウト情報保存部からレイアウト情報を取得するレイアウト情報取得ステップと、
レイアウト情報で示されるレイアウト中に配置される文字を、その文字の配置位置と、そのレイアウトと、に関連付けて規制する情報である文字規制情報を保存する文字規制情報取得ステップと、
レイアウトに対して文字を配置するための情報である文字情報を入力する文字情報入力ステップと、
前記文字情報入力ステップで入力された文字情報に基づいて配置される文字が、前記文字規制情報により規制される限界を超えたものであるかを判断する入力文字判断ステップと、
からなるレイアウト方法。
【発明の詳細な説明】
【０００１】
【発明の属する技術分野】
本発明は、チラシ及びカタログ等の印刷物を作成するためのレイアウト装置に関する。
【０００２】
【従来の技術】
本発明を理解するために、印刷物の作成の一例としてカタログを作成する手順を説明する。
【０００３】
図２は、印刷物の作成の概念図の一例である。印刷物であるカタログ及びチラシなどの作成は掲載項目の作成とレイアウトの作成とからなる。例えば、新製品のカタログを作成する場合を説明する。まず、カメラマンが新製品の撮影などを通じて、素材を取得する。素材とは新製品の写真及びＣＧ（コンピューターグラフィックス）などであってもよい（図２中１）。図３にＣＧの素材の一例を示す。そして、デザイナーがコンピュータなどを利用して新製品のためのロゴを作成し、ロゴを取得する（図２中２）。前記「ロゴ」は、装飾が施された文字情報である。図４に前記ロゴの一例を示す。前記ロゴは所定のフォントであってもよい。また、前記ロゴは商標、商号、標章などであってもよい。そして、コピーライターがコンピュータなどを利用して新製品のためのキャッチなどを作成し、掲載項目を取得する（図２中３）。前記「掲載項目」とは分野名、製品名、キャッチ、サブキャッチ、特徴文等である。前記キャッチは分野名、製品名、サブキャッチ、リード文、特徴文などであってもよい。「分野名」とは、印刷する対象である製品、商品、サービスなどの分類の名称である。「製品名」とは、印刷する対象である製品、商品、サービスなどの名称である。「キャッチ」とは新製品のための宣伝のための文字情報である。「サブキャッチ」とはキャッチよりも少し文字数が多い新製品の宣伝のための文字情報である。「リード文」とはサブキャッチよりも文字数が多い新製品の宣伝のための文字情報である。「特徴文」とはリード文よりも文字数が多い新製品の宣伝のための文字情報である。図５に分野名、製品名、キャッチ文、リード文、特徴文（図５中の特徴）の一例を示す。そして、デザイナーが前記素材、ロゴ、掲載項目を用いて、コンピュータなどを利用して新製品のカタログのレイアウトを作成し、レイアウトを取得する（図２中４）。「レイアウト」とは、頁数、印刷する紙の大きさ、前記掲載項目のいづれかの配置位置と大きさと色、また、素材の配置位置と大きさと色である。「素材」とは、製品、サービス、商号などを表わすロゴ、写真、図などである。前記素材には前記、製品、サービス、商号などの背景となる写真及び図柄が含まれてもよい。デザイナーが、前記素材、ロゴ、掲載項目の配置位置、大きさ、色、及びそれらの背景となる写真、図柄の配置位置、大きさ、色などを決定することで前記レイアウトを作成してもよい。図６にレイアウトの一例を示す。図６においては上部分のロゴ０６０１と中部分の掲載項目０６０２と下部分の素材０６０３が見やすいレイアウトになるように配置されている。そして、前記素材、ロゴ、掲載項目などが用いられたレイアウトを取得し、前記レイアウトを印刷装置などが取得することで印刷物の作成してもよい。前記印刷装置とは印刷物を作成する装置などである。
【０００４】
現状は、新製品が出るたびに前記新製品のカタログを作成している。そして、前記新製品のカタログの作成は、通常はデザイナーなどが行う。そして、前記デザイナーなどが作成した新製品のカタログが大量に印刷される。そして、営業担当者などが前記カタログを顧客に配布する。その際には、営業担当者などは、前記カタログと共に顧客に前記新製品のカタログとは別の顧客毎の提案書を作成し配布する。このような提案書を作成する理由は、新製品のカタログを作成した時と顧客に新製品を説明する時との間に時間的な開きがあった場合、カタログの説明だけでは不充分となり、営業担当者などの判断で顧客の要望する点を説明として追加する必要が生じるからである。
【特許文献１】
特開２００２−１４９６３４号公報　（第２−６頁、第１−１０図）
【特許文献２】
特開平７−３１９９４９号公報　（第２−６頁、第１−８図）
【０００５】
【発明が解決しようとする課題】
しかし、前記デザイナーなどがカタログを作成し、営業担当者などが提案書を作成することにより、前記資料を作成する工数がかなり発生する。また、営業担当者などがカタログを作成しようとしても、文字情報の量に適したレイアウトを有するカタログを作成することは困難であった。
【０００６】
【課題を解決するための手段】
本願に係る発明は、レイアウト装置を用いて、営業担当者などが文字情報の量に適した専門家の美的な知識に基づくレイアウトを有するカタログの作成を行うことを可能とするものである。そして、営業担当者などが単独で前記提案書の機能を有する前記カタログの作成を行うことで、デザイナーにカタログの作成を依頼することなく、カタログ作成の工数を飛躍的に削減することができる。前記レイアウト装置はレイアウト情報保存部とレイアウト情報取得部と文字規制情報保存部と文字情報入力部と入力文字判断部とからなる。
【０００７】
【発明の実施形態】
実施形態１の記載は、主に請求項１の記載について説明している。
実施形態２の記載は、主に請求項２の記載について説明している。
実施形態３の記載は、主に請求項３の記載について説明している。
実施形態４の記載は、主に請求項４の記載について説明している。
実施形態５の記載は、主に請求項５の記載について説明している。
実施形態６の記載は、主に請求項６の記載について説明している。
実施形態７の記載は、主に請求項７の記載について説明している。
実施形態８の記載は、主に請求項８の記載について説明している。
実施形態９の記載は、主に請求項９の記載について説明している。
実施形態１０の記載は、主に請求項１０の記載について説明している。
【０００８】
＜＜実施形態１＞＞
【０００９】
＜概略＞
【００１０】
営業担当者などは新製品の販売活動をする際に本発明に係るレイアウト装置を利用してカタログやチラシなどの印刷物を顧客ごとに作成することができる。また、顧客ごとにカタログが作成できることで、そのカタログを貰った顧客は営業担当者などに好意を抱きやすくなり、営業担当者などは販売活動を円滑に行うことができる場合がある。
【００１１】
図１に示すのは実施形態１の概念図の一例である。ある営業担当者などが新製品のの販売のための資料であるカタログと提案書とを欲しいと思った場合を利用して本実施形態の概念を簡単に説明する（図１中１）。その営業担当者などはカタログの作成をデザイナとコピーライタに頼み、その後、部下の営業担当者などに顧客毎の提案書を作成させようかと考えたが、カタログと提案書の作成に工数がかかることを知っていた（図１中２）。そこで、本実施形態のレイアウト装置の利用を思いつく（図１中３）。本実施形態のレイアウト装置を利用すれば、デザイナやコピーライターにカタログの作成を依頼しなくても、営業担当者などがカタログと提案書の作成を一度に行うことができる。また、デザイナやコピーライターとの打ち合わせをもなくすことができる。（図１中４）。このように、本実施形態のレイアウト装置によれば、販売のための資料の作成の工数を大幅に削減することができると共に、文字情報の記載を顧客ごとに合わせたカタログが作成できるため円滑に営業活動を行うことができる（図１中５）。
【００１２】
＜構成＞
【００１３】
図７は、実施形態１の機能ブロックの一例を示すものである。実施形態１のレイアウト装置０７００は、レイアウト情報保存部０７０１とレイアウト情報取得部０７０２と文字規制情報保存部０７０３と文字情報入力部０７０４と入力文字判断部０７０５とからなる。
【００１４】
「レイアウト情報保存部」は、印刷物のレイアウトを示す情報であるレイアウト情報を保存する。「印刷物」とは、紙などに文字や図や写真や図柄などが印刷されたものである。前記印刷物は白黒であっても、カラーであってもよい。「レイアウト」は、従前に説明済みであるので説明を省略する。「レイアウト情報」とは、コンピュータが利用可能となるように前記レイアウトがデータとなった情報である。前記レイアウト情報は画像データなどと対応づけられてレイアウト情報保存部に保存されていてもよい。「保存」とは、前記レイアウト情報をレイアウト情報保存部に保存することをいう。前記レイアウト情報保存部はハードディスクやＣＤやＤＶＤなどであってもよい。また、レイアウト情報保存部は素材保存部を有してもよい。前記素材保存部は前記素材の画像データなどとレイアウト情報とを対応づけて保存してもよい。また、レイアウト情報保存部は色情報保存部を有してもよい。前記色情報保存部は色のデータとレイアウト情報とを対応づけて保存してもよい。また、レイアウト情報保存部は文字情報保存部を有してもよい。前記文字情報保存部は文字情報入力部で取得された文字のデータと前記レイアウト情報とを対応づけて保存してもよい。
また、前記レイアウト情報保存部は遠隔に設置されていて、ネットワークを通じて前記レイアウト情報取得部とアクセスが可能となっていてもよい。
【００１５】
図８に前記レイアウト情報の概念図の一例を示す。前記レイアウト情報保存部０８０１はレイアウト情報ＩＤをレイアウト装置が取得すると、そのレイアウト情報ＩＤを有する複数のレイアウト情報のデータを前記レイアウト情報取得部０８０２に出力する。前記レイアウト情報が有するデータはレイアウト情報ＩＤ、レイアウト部品ＩＤ、配置位置（たて、よこ）、大きさ、色、表地／裏地、頁、紙サイズ等であってもよい。前記「レイアウト情報ＩＤ」は、レイアウト情報保存部に保存されているレイアウト情報をユニークに識別する情報である。「レイアウト部品ＩＤ」は前記レイアウト情報中に示されるレイアウトが有する素材、ロゴ、掲載項目などを識別する情報である。「配置位置」は、前記レイアウト情報中に示されるレイアウトが有する素材、ロゴ、掲載項目などがレイアウト中に配置されている位置を示す。前記素材、ロゴ、掲載項目などの中心点の座標の位置であってもよい。前記配置位置の「たて」、「よこ」はレイアウト情報で示されるレイアウト中のＸ座標の値、Ｙ座標の値である。「大きさ」は、フォントサイズなどの画像の大きさを表わす尺度などである。「色」は、全ての色情報が識別される情報などである。「表地／裏地」は、前記レイアウト情報中に示されるレイアウトが有する素材、ロゴ、掲載項目などが他の素材、ロゴ、掲載項目などに隠れてもよいのか否かを識別させる符号などである。表ならば隠れてはだめで、裏ならば隠れてもよいことを示してもよい。「頁」は前記レイアウト情報中に示されるレイアウトが有するページ数などである。「紙サイズ」は前記レイアウト情報中に示されるレイアウトが指定する紙のサイズなどである。また、前記レイアウト情報ＩＤと配置位置と大きさと頁と紙サイズのデータは前記レイアウト情報保存部に事前に保存されて変更できなくなっており、事後にレイアウト部品ＩＤと色と表地／裏地のデータが入力されてもよい。前記レイアウト情報が有するデータであるレイアウト情報ＩＤとレイアウト部品ＩＤと配置位置と大きさと頁と紙サイズのデータを事前に前記レイアウト情報保存部に入力しておき、前記レイアウト部品ＩＤが番号により素材の種類や掲載項目を識別できるようになっていれば、前記レイアウト情報ＩＤと前記レイアウト部品ＩＤと配置位置と大きさと頁と紙サイズのデータを前記レイアウト情報のテンプレートとすることができてもよい。
【００１６】
一例として、図６のレイアウトがレイアウト情報としてレイアウト情報保存部に保存されている態様を説明する。図６のレイアウト情報はレイアウト情報ＩＤ０００１を有する。そして、ロゴ０６０１がレイアウト部品ＩＤ００５０に対応し、掲載項目０６０２がレイアウト部品ＩＤ００６０に対応し、素材０６０３がレイアウト部品ＩＤ００７０に対応する。ぞれぞれのレイアウト部品の配置位置や大きさや色などがレイアウト情報により規定されている。
【００１７】
「レイアウト情報取得部」は、前記レイアウト情報保存部からレイアウト情報を取得する。「取得」とは、レイアウト情報取得部が前記レイアウト情報保存部から前記レイアウト情報を取得することをいう。前記レイアウト情報取得部は前記レイアウト情報保存部と同一の装置内にあってもよい。また、前記レイアウト情報保存部と前記レイアウト情報取得部が遠隔に設置されて双方がネットワークに接続されており、ネットワークを通じて前記レイアウト情報取得部が前記レイアウト情報保存部から前記レイアウト情報を取得してもよい。また、前記レイアウト情報取得部は前記レイアウト情報を前記レイアウト情報保存部から選択できるようになっていてもよい。
【００１８】
図９に前記レイアウト情報を前記レイアウト情報保存部から選択できるようになっている一例を示す。図９では前記レイアウト情報をオーソドックス、洗練と落ち着き、伝統と若さ、ＰＯＰな若さ、の４つの区分に分類している。前記レイアウト情報を前記４つの区分から選択させるようになっていてもよい。利用者はデザインの方向性などの抽象的な概念を指定することで前記レイアウト情報を選択できるようになっていてもよい。前記デザインの方向性などの抽象的な概念は前記レイアウト情報保存部のレイアウト情報が有するレイアウト情報ＩＤと関連づけられていてもよい。
【００１９】
「文字規制情報保存部」は、レイアウト情報で示されるレイアウト中に配置される文字を、その文字の配置位置と、そのレイアウトと、に関連付けて規制する情報である文字規制情報を保存する。「文字」とは、文字コードで規定される情報である。「配置」とは、前記文字をレイアウト情報で示されるレイアウト内の所定の位置に表示させることをいう。「配置位置」とは、レイアウト情報で示されるレイアウト中で前記文字が表示させられている所定の位置をいう。「関連」とは、前記文字と前記配置位置と前記レイアウト情報が関連付けられていることをいう。「規制」とは、レイアウト情報で示されるレイアウト中で前記文字が前記配置位置に表示できない条件のことをいう。「文字規制情報」とは、レイアウト情報で示されるレイアウト中に配置される文字を、その文字の配置位置と、そのレイアウトと、に関連付けて規制する情報である。文字規制情報は専門家の美的な専門知識に基づいて定められる情報であってもよい。
【００２０】
図１０に前記文字規制情報の概念図の一例を示す。前記文字規制情報保存部１００１は入力文字判断部１００２からレイアウト情報ＩＤを取得すると、そのレイアウト情報ＩＤを有する文字規制情報のデータを入力文字判断部に出力する。前記文字規制情報が有するデータはレイアウト情報ＩＤ、キャッチ文字数、サブキャッチ文字数、リード文文字数、特徴文字数などでもよい。キャッチ文字数はキャッチの文字数の上限の数であってもよい。サブキャッチ文字数はサブキャッチの文字数の上限の数であってもよい。リード文文字数はリード文の文字数の上限の数であってもよい。特徴文字数は特徴文の文字数の上限の数であってもよい。
【００２１】
また、例えば、キャッチ文字数は５０字以内であってもよいし、サブキャッチ文字数は７０字以内であってもよいし、リード文文字数は１１０字以内であってもよいし、特徴文字数は８０字以内であってもよい。
【００２２】
「文字情報入力部」は、レイアウト情報に基づいて文字を配置するための情報である文字情報を利用者が入力するための機能を有する部分である。「文字情報」とは、文字コードで規定される情報である。たとえば、前記掲載項目の文字情報であってもよい。「入力」とは、利用者が前記文字情報をコンピュータなどの情報を処理する装置に入力することをいう。前記文字情報がメールなどを通じて前記利用者が有するメールアドレスのメールサーバに取得され、文字情報入力部が前記文字情報を前記メールサーバから取得してもよい。「利用者」とは、レイアウト装置の利用者をいう。前記利用者は営業担当者などであってもよい。前記営業担当者などがレイアウト装置を利用することにより、提案書と同様の機能を有するカタログなどを作成することができる。
【００２３】
「入力文字判断部」は、前記文字情報入力部で入力され、配置される文字情報が、前記文字規制情報により規制される限界を超えたものであるかを判断する。「限界」とは、前記文字規制情報などにより示される閾値などをいう。「判断」とは、前記文字規制情報に示される限界の閾値などを超えたものであるかを判断することをいう。
【００２４】
なお、前記レイアウト装置は前記利用者から遠隔に設置され、ネットワークを通じて前記利用者がアクセス可能となっていてもよい。
【００２５】
＜処理の流れ＞
【００２６】
図１１は実施形態１のフロー図の一例である。実施形態１は以下のステップを有してもよい。まず、利用者はレイアウト情報保存部からレイアウト情報を選択する（ステップＳ１１０１）。そして、利用者は文字情報入力部に文字情報を入力する（ステップＳ１１０２）。そして、前記ステップＳ１１０２の後に、入力文字判断部は文字規制情報保存部から文字規制情報を取得する（ステップＳ１１０３）。そして、前記ステップＳ１１０３の後に、入力文字判断部は入力された文字が規制を超えたかどうか判断する（ステップＳ１１０４）。
【００２７】
＜効果＞
【００２８】
本発明に係るレイアウト装置を利用することで、営業担当者などは文字情報の量に適した専門家の美的な専門知識に基づくレイアウトを有するカタログをデザイナなどに依頼することなく作成することができる。そして、営業担当者などは提案書の機能を有するカタログを作成することができることで、カタログ作成の工数を削減することができる。
【００２９】
従来のレイアウト装置では利用者が文字情報を入力して美的なレイアウトを崩したレイアウトを作成していたが、本発明に係るレイアウト装置では利用者は美的なレイアウトを崩すことなく文字情報に適したレイアウトを作成することができる。営業担当者などは専門家の美的な知識に基づく美しいレイアウトを有するカタログなどを簡単に作成することができる。
【００３０】
＜＜実施形態１以上＞＞
【００３１】
＜＜実施形態２＞＞
【００３２】
＜概略＞
【００３３】
実施形態２の文字規制情報は、配置される文字の数を示す情報であることを特徴とする。一例として、営業担当者などがレイアウト装置を利用する際に、入力した文字の数がレイアウトの規制に引っかかると、営業担当者などはレイアウトの規制が許容する文字の数の文字情報を入力することになる。
【００３４】
そして、営業担当者などが本発明にかかるレイアウト装置を利用する際に、レイアウト装置が提供する文字情報を制限するレイアウト情報を利用することで、営業担当者などは美しいレイアウトを有するカタログなどをレイアウトを崩すことなく作成することができる。
【００３５】
＜構成＞
【００３６】
実施形態２のレイアウト装置は、レイアウト情報保存部とレイアウト情報取得部と文字規制情報保存部と文字情報入力部と入力文字判断部とを有する。これらは前述の実施形態と基本的に同様の機能を果たすので説明は省略する。
【００３７】
実施形態２の前記文字規制情報保存部の文字規制情報は、配置される文字の数を示す情報であることを特徴とする。「文字の数」とは、文字コードで示される情報を一単位とした文字の総数をいう。
【００３８】
＜処理の流れ＞
【００３９】
本実施形態の処理の流れの一例は、本実施形態の文字規制情報を除き、図１１の実施形態１のフロー図の一例と同じ内容であるので省略する。
【００４０】
＜効果＞
【００４１】
前記文字規制情報保存部の文字規制情報に基づいて営業担当者などが前記文字情報入力部へ実施形態１に記載の掲載項目を入力することで、営業担当者などは美しいレイアウトを有するカタログなどをレイアウトを崩すことなく作成することができる。営業担当者などは専門家の美的な知識に基づく美しいレイアウトを有するカタログなどを簡単に作成することができる。
【００４２】
＜＜実施形態２以上＞＞
【００４３】
＜＜実施形態３＞＞
【００４４】
＜概略＞
【００４５】
実施形態３の文字規制情報は、配置される文字のフォントの種類を示す情報であることを特徴とする。一例として、営業担当者などがレイアウト装置を利用する際に、入力した文字のフォントがレイアウトの規制に引っかると、営業担当者などはレイアウトの規制が許容するの文字のフォントの文字情報を入力することになる。
【００４６】
そして、営業担当者などが本発明にかかるレイアウト装置を利用する際に、レイアウト装置が提供する文字情報を制限するレイアウト情報を利用することで、営業担当者などは美しいレイアウトを有するカタログなどをレイアウトを崩すことなく作成することができる。
【００４７】
＜構成＞
【００４８】
実施形態３のレイアウト装置は、レイアウト情報保存部とレイアウト情報取得部と文字規制情報保存部と文字情報入力部と入力文字判断部とを有する。また、前記文字規制情報は、配置される文字の数を示す情報である。これらは前述の実施形態と基本的に同様の機能を果たすので説明は省略する。
【００４９】
実施形態３の文字規制情報は、配置される文字のフォントの種類を示す情報であることを特徴とする。「文字のフォントの種類」とは、文字コードが有する文字の形態の種類をいう。たとえば、明朝体、ゴシック体などである。
【００５０】
＜処理の流れ＞
【００５１】
本実施形態の処理の流れの一例は、本実施形態の文字規制情報を除き、図１１の実施形態１のフロー図の一例と同じ内容であるので省略する。
【００５２】
＜効果＞
【００５３】
前記文字規制情報保存部の文字規制情報に基づいて営業担当者などが前記文字情報入力部へ実施形態１に記載の掲載項目を入力することで、営業担当者などは美しいレイアウトを有するカタログなどをレイアウトを崩すことなく作成することができる。営業担当者などは専門家の美的な知識に基づく美しいレイアウトを有するカタログなどを簡単に作成することができる。
【００５４】
＜＜実施形態３以上＞＞
【００５５】
＜＜実施形態４＞＞
【００５６】
＜概略＞
【００５７】
実施形態４の文字規制情報は、配置される文字の大きさを示す情報であることを特徴とする。一例として、営業担当者などがレイアウト装置を利用する際に、入力した文字の大きさがレイアウトの規制に引っかると、営業担当者などはレイアウトの規制が許容するの文字の大きさの文字情報を入力することになる。
【００５８】
そして、営業担当者などが本発明にかかるレイアウト装置を利用する際に、レイアウト装置が提供する文字情報を制限するレイアウト情報を利用することで、営業担当者などは美しいレイアウトを有するカタログなどをレイアウトを崩すことなく作成することができる。
【００５９】
＜構成＞
【００６０】
実施形態４のレイアウト装置は、レイアウト情報保存部とレイアウト情報取得部と文字規制情報保存部と文字情報入力部と入力文字判断部とを有する。また、前記文字規制情報は、配置される文字の数を示す情報である。また、前記文字規制情報は、配置される文字のフォントの種類を示す情報である。これらは前述の実施形態と基本的に同様の機能を果たすので説明は省略する。
【００６１】
実施形態４の文字規制情報は、配置される文字の大きさを示す情報であることを特徴とする。「配置される文字の大きさ」とは、実施形態１記載のレイアウト情報で示されるレイアウト中において、文字コードで示される文字が表わされる大きさをいう。
【００６２】
＜処理の流れ＞
【００６３】
本実施形態の処理の流れの一例は、本実施形態の文字規制情報を除き、図１１の実施形態１のフロー図の一例と同じ内容であるので省略する。
【００６４】
＜効果＞
【００６５】
前記文字規制情報保存部の文字規制情報に基づいて営業担当者などが前記文字情報入力部へ実施形態１に記載の掲載項目を入力することで、営業担当者などは美しいレイアウトを有するカタログなどをレイアウトを崩すことなく作成することができる。営業担当者などは専門家の美的な知識に基づく美しいレイアウトを有するカタログなどを簡単に作成することができる。
【００６６】
＜＜実施形態４以上＞＞
【００６７】
＜＜実施形態５＞＞
【００６８】
＜概略＞
【００６９】
実施形態５のレイアウト装置では、前記入力文字判断部での判断結果が、規制の限界を超えるものであるとの判断結果である場合には、入力を中断させることを特徴とする。一例として、営業担当者などがレイアウト装置を利用する際に、入力した文字の数がレイアウトの規制に引っかると、営業担当者などは文字情報の入力がキーボードからできなくなる。そして、営業担当者などはレイアウトの規制が許容するの文字の数の文字情報を入力することになる。
【００７０】
そして、営業担当者などが本発明にかかるレイアウト装置を利用する際にレイアウトの規制に合致した場合、自身の文字入力がレイアウト装置により中断されることでレイアウトに合致した文字情報を入力することができる。
【００７１】
＜構成＞
【００７２】
実施形態５のレイアウト装置は、レイアウト情報保存部とレイアウト情報取得部と文字規制情報保存部と文字情報入力部と入力文字判断部とを有する。これらは前述の実施形態と基本的に同様の機能を果たすので説明は省略する。
【００７３】
実施形態５のレイアウト装置では、前記入力文字判断部での判断結果が、規制の限界を超えるものであるとの判断結果である場合には、入力を中断させることを特徴とする。「判断結果」とは、前記入力文字判断部が実施形態１に記載の文字規制情報に示される限界の閾値などを超えたものであるかを判断した結果をいう。「中断」とは、前記文字情報入力部が利用者などからの文字などの入力を中断させることをいう。たとえば、キーボードからの文字情報の入力を中断させてもよい。また、利用者の端末の画面上に文字情報が規制に引っかかる旨を表示してもよい。また、前記画面上に文字情報を変更すべきである旨を表示してもよい。
【００７４】
図１２に前記判断結果の概念図の一例を示す。前記入力文字判断部１２０１は前記文字情報入力部１２０２から実施形態１に記載のレイアウト情報ＩＤと文字数情報を取得すると、そのレイアウト情報ＩＤを文字規制情報保存部１２０３に出力し、そのレイアウト情報ＩＤの実施形態１記載の文字規制情報を取得する。前記文字数情報とは実施形態１に記載のキャッチ文字数、サブキャッチ文字数、リード文文字数、特徴文字数などのいずれか一であってもよい。そして、前記入力文字判断部は前記文字数情報の値とそれに対応する前記文字規制情報の値を比較する。そして、文字規制情報の値が文字数情報より大きい場合は規制を超える判断結果となり、前記入力文字判断部は入力中断指示情報を文字情報入力部に出力する。また、文字規制情報の値が文字数情報の値以下の場合は前記入力文字判断部の処理は終了する。
【００７５】
＜処理の流れ＞
【００７６】
図１３は実施形態５のフロー図の一例である。実施形態５は以下のステップを有してもよい。まず、利用者が文字情報入力部に文字情報を入力する（Ｓ１３０１）。そして、入力文字判断部は文字規制情報保存部から文字規制情報を取得する（Ｓ１３０２）。そして、入力文字判断部は入力された文字が規制の限界を超えるか否か判断する（Ｓ１３０３）。そして、前記文字情報が規制の限界を超えた場合は、入力文字判断部は利用者が文字入力情報部に文字情報を入力することを中断させる（Ｓ１３０４）。
【００７７】
＜効果＞
【００７８】
前記入力文字判断部が文字入力情報部に営業担当者などが文字情報を入力する際にレイアウトの規制に合致した場合に、文字情報の入力を中断させることで、レイアウトに合致した文字情報を入力することができる。営業担当者などは専門家の美的な知識に基づく美しいレイアウトを有するカタログなどを簡単に作成することができる。
【００７９】
＜＜実施形態５以上＞＞
【００８０】
＜＜実施形態６＞＞
【００８１】
＜概略＞
【００８２】
実施形態６のレイアウト装置では、前記入力文字判断部での判断結果が、規制の限界を超えるものであるとの判断結果である場合には、入力された文字情報が規制の限界を超えないレイアウト情報を前記レイアウト情報保存部から選択することを促すことを特徴とする。一例として、営業担当者などがレイアウト装置を利用する際に、入力した文字の数がレイアウトの規制に引っかると、営業担当者などは文字情報の入力がキーボードからできなくなる。そして、レイアウト装置より文字の数がより多く入力できるレイアウトを提示される。そして、営業担当者などは文字の数を変更することなくの文字情報を入力できることになる。
【００８３】
そして、営業担当者などは自身の文字入力がレイアウト装置により中断された後に、レイアウト装置がより適したレイアウトの選択を営業担当に促すことで、営業担当者などは事前に考えた文字情報を変更することなく、その文字情報に適するレイアウトのカタログを作成することができる。
【００８４】
＜構成＞
【００８５】
実施形態６のレイアウト装置は、レイアウト情報保存部とレイアウト情報取得部と文字規制情報保存部と文字情報入力部と入力文字判断部とを有する。これらは前述の実施形態と基本的に同様の機能を果たすので説明は省略する。
【００８６】
実施形態６のレイアウト装置では、前記入力文字判断部での判断結果が、規制の限界を超えるものであるとの判断結果である場合には、入力された文字情報が規制の限界を超えないレイアウト情報を前記レイアウト情報保存部から選択することを促すことを特徴とする。「規制の限界を超えないレイアウト情報」とは、前記文字情報入力部に入力された文字情報の文字の数などが実施形態１記載の文字規制情報に示される限界の閾値などを超えないレイアウト情報であってもよし、選択可能なレイアウトであってもよい。前記「選択」とは、入力された文字情報の文字の数が規制の限界の閾値などを超えないレイアウト情報を前記レイアウト情報保存部から選択させることを促すことをいう。たとえば、前記レイアウト情報を前記レイアウト情報取得部に表示させてもよいし、レイアウト情報ＩＤを前記レイアウト情報取得部に表示させてもよい。「促す」とは利用者に文字情報の再入力を促すことをいう。たとえば、画面上に文字情報の再入力を促す内容が記載さえたウィンドウが表示されてもよい。
【００８７】
また、実施形態６のレイアウト装置では、前記入力文字判断部での判断結果が、規制の限界を超えないが、入力された文字情報たとえば、５文字が許容の文字数１００字より極端に少ないものであるとの判断結果である場合、たとえば、１割未満の文字数の場合には、入力された文字情報が規制の限界を超えないとともに、より少ない文字数の規制の情報、たとえば、１０字以内に文字数を規制する情報有するレイアウト情報を前記レイアウト情報保存部から選択することを促してもよい。
【００８８】
図１４に規制の限界を超えないレイアウト情報の概念図の一例を示す。前記入力文字判断部１４０４は実施形態５に記載の入力中断指示情報を文字情報入力部１４０２に出力すると、前記文字情報入力部１４０２は文字情報が入力されている実施形態１に記載のレイアウト情報のレイアウト情報ＩＤを基に文字規制情報保存部１４０３を検索する。前記文字規制情報保存部１４０３はレイアウト情報ＩＤを取得すると、そのレイアウト情報ＩＤの文字規制情報が有する実施形態５に記載の文字数情報より値が小さいレイアウト情報ＩＤを検索する。そして、検索結果であるレイアウト情報ＩＤを文字情報入力部１４０２へ送信する。前記検索結果であるレイアウト情報ＩＤが多数の場合は前記レイアウト情報ＩＤの文字規制情報の値に最も近い値の文字規制情報のレイアウト情報ＩＤの数データを文字情報入力部１４０２へ送信するなどとしてもよい。そして、文字情報入力部１４０２は前記検索結果であるレイアウト情報ＩＤを取得すると、前記レイアウト情報取得部１４０１へ検索結果であるレイアウト情報ＩＤを出力する。前記レイアウト情報取得部１４０１は検索結果であるレイアウト情報ＩＤを取得すると、そのレイアウト情報ＩＤを有するレイアウト情報を前記レイアウト情報保存部１４０５から取得する。
【００８９】
＜処理の流れ＞
【００９０】
図１５は実施形態６のフロー図の一例である。実施形態６は以下のステップを有してもよい。まず、利用者が文字情報入力部に文字情報を入力する（Ｓ１５０１）。そして、入力文字判断部は文字規制情報保存部から文字規制情報を取得する（Ｓ１５０２）。そして、入力文字判断部は入力された文字が規制の限界を超えるか否かを判断する。（Ｓ１５０３）。そして、前記文字情報が規制の限界を超えた場合は、入力文字判断部は利用者が文字入力情報部に文字情報を入力することを中断させる（Ｓ１５０４）。そして、入力された文字情報が規制の限界を超えないレイアウト情報をレイアウト情報保存部より選択することを促す（Ｓ１５０５）。
【００９１】
＜効果＞
【００９２】
入力された文字情報が規制の限界を超えないレイアウト情報をレイアウト情報保存部より選択することを促すことで、営業担当者などは事前に考えた文字情報を変更することなく、その文字情報に適する美しいレイアウトのカタログを作成することができる。営業担当者などは専門家の美的な知識に基づく美しいレイアウトを有するカタログなどを簡単に作成することができる。
【００９３】
＜＜実施形態６以上＞＞
【００９４】
＜＜実施形態７＞＞
【００９５】
＜概略＞
【００９６】
実施形態７のレイアウト装置では、前記レイアウト情報で示されるレイアウト中の文字、背景、ロゴのいずれか一が有する色情報を、その文字、背景、ロゴのいずれか一の配置位置と、そのレイアウトと、に関連付けて規制する情報である色規制情報を保存する色規制情報保存部をさらに有することを特徴とする。一例として、営業担当者などがレイアウト装置を利用する際に、入力した文字の色がレイアウトの規制に引っかると、営業担当者などはレイアウトの規制が許容するの文字の色の文字情報を入力することになる。
【００９７】
そして、営業担当者などが本発明にかかるレイアウト装置を利用する際に、レイアウト装置が提供する色情報を制限するレイアウト情報を利用することで、営業担当者などは美しいレイアウトを有するカタログなどをレイアウトを崩すことなく作成することができる。
【００９８】
＜構成＞
【００９９】
図１６は実施形態７の機能ブロック図の一例である。実施形態７のレイアウト装置１６００は、レイアウト情報保存部１６０１とレイアウト情報取得部１６０２と文字規制情報保存部１６０３と文字情報入力部１６０４と入力文字判断部１６０５とを有する。これらは前述の実施形態と基本的に同様の機能を果たすので説明は省略する。
【０１００】
実施形態７のレイアウト装置では、前記レイアウト情報で示されるレイアウト中の文字、背景、ロゴのいずれか一が有する色情報を、その文字、背景、ロゴのいずれか一の配置位置と、そのレイアウトと、に関連付けて規制する情報である色規制情報を保存する色規制情報保存部１６０６をさらに有することを特徴とする。「色情報」とは、明度、彩度、色相のいずれか一以上からなる情報をいう。例えば、色情報は白黒であってもよいし、フルカラーであってもよい。「背景」とは、実施形態１記載のレイアウト情報で示されるレイアウト中の実施形態１に記載の素材、ロゴ、掲載項目の裏地となる部位である。「関連」とは、前記色情報と前記配置位置と前記レイアウトが関連付けられていることをいう。「色規制情報」とは、前記レイアウト情報で示されるレイアウト中に文字、背景、ロゴのいずれか一が有する色情報を、その文字、背景、ロゴのいずれか一の配置位置と、そのレイアウトと、に関連付けて規制する情報である。「配置位置」とは、レイアウト情報で示されるレイアウト中で前記色情報が表示させられている所定の位置をいう。
【０１０１】
図１７に前記色規制情報の概念図の一例を示す。前記レイアウト情報取得部１７０２は実施形態１に記載のレイアウト情報ＩＤを色規制情報保存部１７０１に出力すると、前記色規制情報保存部はそのレイアウト情報ＩＤを取得する。前記色規制情報保存部はそのレイアウト情報ＩＤを有する複数の色規制情報のデータを前記レイアウト情報取得部に出力する。前記色規制情報が有するデータは前記レイアウト情報ＩＤ、実施形態１記載のレイアウト部品情報、色情報、実施形態１記載の表地／裏地であってもよい。色情報はレイアウト情報ＩＤとレイアウト部品情報との組み合わせに応じて許容される色情報である。前記色情報は複数の色情報が許容されてもよい。色情報はユニークに識別される情報であってもよい。前記レイアウト情報取得部は色規制情報が許容するレイアウト情報しか取得できなくてもよい。
【０１０２】
＜処理の流れ＞
【０１０３】
図１８は実施形態７のフロー図の一例である。実施形態７は以下のステップを有してもよい。まず、利用者はレイアウト情報取得部で色情報を選択する（Ｓ１８０１）。そして、レイアウト情報取得部は色規制情報保存部より色規制情報を取得する（Ｓ１８０２）。そして、選択された色情報が色規制情報に適合するか判断する（Ｓ１８０３）。
【０１０４】
＜効果＞
【０１０５】
営業担当者などが本発明にかかるレイアウト装置を利用する際に、レイアウト装置がカタログ作成の色を選定する作業を規制することで、営業担当者などが不自然な配色のカタログを作成することを防ぐことができる。営業担当者などは専門家の美的な知識に基づく美しいレイアウトを有するカタログなどを簡単に作成することができる。
【０１０６】
＜＜実施形態７以上＞＞
【０１０７】
＜＜実施形態８＞＞
【０１０８】
＜概略＞
【０１０９】
実施形態８のレイアウト装置では、前記レイアウト情報で示されるレイアウト中の配置される素材を、その素材の配置位置と、そのレイアウトと、に関連付けて規制する情報である素材規制情報を保存する素材規制情報保存部をさらに有することを特徴とする。一例として、営業担当者などがレイアウト装置を利用する際に、入力した素材の大きさがレイアウトの規制に引っかると、営業担当者などはレイアウトの規制が許容するの大きさの素材を入力することになる。
【０１１０】
そして、営業担当者などが本発明にかかるレイアウト装置を利用する際に、レイアウト装置が提供する素材情報を制限するレイアウト情報を利用することで、営業担当者などは美しいレイアウトを有するカタログなどをレイアウトを崩すことなく作成することができる。
【０１１１】
＜構成＞
【０１１２】
図１９は実施形態８の機能ブロック図の一例である。実施形態８のレイアウト装置１９００は、レイアウト情報保存部１９０１とレイアウト情報取得部１９０２と文字規制情報保存部１９０３と文字情報入力部１９０４と入力文字判断部１９０５とを有する。これらは前述の実施形態と基本的に同様の機能を果たすので説明は省略する。
【０１１３】
実施形態８のレイアウト装置では、前記レイアウト情報で示されるレイアウト中の配置される素材を、その素材の配置位置と、そのレイアウトと、に関連付けて規制する情報である素材規制情報を保存する素材規制情報保存部１９０６をさらに有することを特徴とする。「素材」とは、実施形態１に説明済みであるので説明を省略する。「関連」とは、前記素材と前記配置位置と前記レイアウトが関連付けられていることをいう。「素材規制情報」とは、前記レイアウト情報で示されるレイアウト中に配置される素材を、その素材の配置位置と、そのレイアウトと、に関連付けて規制する情報である。「配置位置」とは、レイアウト情報で示されるレイアウト中で前記素材が表示させられている所定の位置をいう。
【０１１４】
図２０は前記素材規制情報の概念図の一例である。前記レイアウト情報取得部２００２は実施形態１に記載のレイアウト情報ＩＤを前記素材規制情報保存部２００１に出力すると、前記素材規制情報保存部はそのレイアウト情報ＩＤを有する素材規制情報のデータをレイアウト情報取得部へ出力する。前記素材規制情報が有するデータは素材ＩＤ、素材属性、実施形態１に記載のレイアウト情報ＩＤであってもよい。前記素材ＩＤは素材をユニークに識別する情報であってもよい。前記素材属性は素材が縦長なのか横長なのかを識別する符号であってもよい。前記素材規制情報は素材ＩＤと素材属性の組み合わせに応じて許容されるレイアウト情報ＩＤを示す。前記レイアウト情報取得部は素材規制情報が許容するレイアウト情報しか取得できなくてもよい。
【０１１５】
＜処理の流れ＞
【０１１６】
図２１は実施形態８のフロー図の一例である。実施形態８は以下のステップを有してもよい。まず、利用者はレイアウト情報取得部で素材を取得する（Ｓ２１０１）。そして、レイアウト情報取得部は素材規制情報保存部より素材規制情報を取得する（Ｓ２１０２）。そして、取得された素材が素材規制情報に適合するか判断する（Ｓ２１０２）。
【０１１７】
＜効果＞
【０１１８】
営業担当者などが本発明にかかるレイアウト装置を利用する際に、レイアウト装置が素材に応じて前記レイアウト情報で示されるレイアウトを規制することで、営業担当者などが不自然なレイアウトのカタログを作成することを防ぐことができる。営業担当者などは専門家の美的な知識に基づく美しいレイアウトを有するカタログなどを簡単に作成することができる。
【０１１９】
＜＜実施形態８以上＞＞
【０１２０】
＜＜実施形態９＞＞
【０１２１】
＜概略＞
【０１２２】
実施形態９の前記文字情報入力部は分野名、製品名、キャッチ文、サブキャッチ文、リード文、特徴文のいずれかを入力することを特徴とする。一例として、営業担当者などが本発明にかかるレイアウト装置を利用する際に、入力する文字情報の欄がキャッチを入力する欄であると、営業担当者などは文字情報がキャッチとなるように的確に文字情報入力できる。
【０１２３】
そして、営業担当者などが本発明にかかるレイアウト装置を利用する際に、レイアウト装置がカタログ作成の作業を規制することで営業担当者などは効率的にカタログを作成することができる。
【０１２４】
＜構成＞
【０１２５】
実施形態９のレイアウト装置は、レイアウト情報保存部とレイアウト情報取得部と文字規制情報保存部と文字情報入力部と入力文字判断部とを有する。これらは前述の実施形態と基本的に同様の機能を果たすので説明は省略する。
【０１２６】
実施形態９の前記文字情報入力部は分野名、製品名、キャッチ文、サブキャッチ文、リード文、特徴文のいずれかを入力することを特徴とする。「分野名」と「製品名」と「キャッチ」と「サブキャッチ」と「リード文」と「特徴文」とは、実施形態１に説明済みであるので説明を省略する。そのため、利用者は入力する文字情報が前記分野名、製品名、キャッチ、サブキャッチ、リード文、特徴文のいずれかであるかを識別する必要がある。
【０１２７】
図２２は実施形態９のユーザインターフェースの一例である。図２２は前記文字情報入力部の画面の一例を示す。図２２右欄には製品名、分野名、キャッチ、サブキャッチ、リード文、特徴などの掲載項目が表示されている。ぞれぞれの掲載項目に対応して文字情報を入力する欄が図２２右欄に表示されている。前記入力する欄を超えて文字情報を入力することができなくてもよい。また、図２２右欄には色情報、色情報２、色情報３が表示されている。図２２左欄のプレビュー表示のレイアウトを３つの範囲に区分けし、図２２右欄はそれぞれ３つ範囲の区分けの色情報をラジオボタン選択できるようにしている。図２２右欄にはロゴ情報、製品ロゴ情報の色情報をラジオボタンで選択できるようになっている。前記ラジオボタンで選択できる色情報、ロゴ情報、製品ロゴ情報は実施形態７に記載の色規制情報により許容されている色情報であってもよい。前記掲載項目を入力する部分は前記文字情報入力部であってもよい。前記色情報を選択する部分は前記レイアウト情報取得部であってもよい。
【０１２８】
＜処理の流れ＞
【０１２９】
本実施形態の処理の流れの一例は、図１１の実施形態１のフロー図の一例と同じ内容であるので省略する。
【０１３０】
＜効果＞
【０１３１】
営業担当者などが文字情報入力部に文字情報を入力する際に、文字情報の属性である実施形態１記載の掲載項目ごとに文字情報を入力することで、営業担当者などは最低限必要な文字情報を把握することができ、営業担当者などは不要な文字情報を考える必要がなくなり、文字情報に適した専門家の美的な知識にも基づく美しいレイアウトのカタログを作成することができる。
【０１３２】
＜＜実施形態９以上＞＞
【０１３３】
【発明の効果】
本発明にかかるレイアウト装置を利用することで、営業担当者などは専門家の美的な知識に基づいて美しいレイアウトをを有するカタログなどを作成することができる。また、顧客ごとにカタログなどを作成できることで、営業担当者などはカタログ作成の工数を削減できるとともに、円滑に営業活動を行うことができる。
【図面の簡単な説明】
【図１】実施形態１の概念図
【図２】概念図
【図３】実施形態１の構成を示した概略の一例の図
【図４】実施形態１の構成を示した概略の一例の図
【図５】実施形態１の構成を示した概略の一例の図
【図６】実施形態１の構成を示した概略の一例の図
【図７】実施形態１の機能ブロックの一例の図
【図８】実施形態１のデータを示した概略の一例の図
【図９】実施形態１の構成を示した概略の一例の図
【図１０】実施形態１のデータを示した概念の一例の図
【図１１】実施形態１のフローの一例の図
【図１２】実施形態５のデータを示した概念の一例の図
【図１３】実施形態５のフローの一例の図
【図１４】実施形態６のデータを示した概念の一例の図
【図１５】実施形態６のフローの一例の図
【図１６】実施形態７の機能ブロックの一例の図
【図１７】実施形態７のデータを示した概念の一例の図
【図１８】実施形態７のフローの一例の図
【図１９】実施形態８の機能ブロックの一例の図
【図２０】実施形態８のデータを示した概念の一例の図
【図２１】実施形態８のフローの一例の図
【図２２】実施形態９の構成を示した概略の一例の図
【符号の説明】
０７００　　レイアウト装置
０７０１　　レイアウト情報保存部
０７０２　　レイアウト情報取得部
０７０３　　文字規制情報保存部
０７０４　　文字情報入力部
０７０５　　入力文字判断部
【図１】
2004110384.tif 000003
【図２】
2004110384.tif 000004
【図３】
2004110384.tif 000005
【図４】
2004110384.tif 000006
【図５】
2004110384.tif 000007
【図６】
2004110384.tif 000008
【図７】
2004110384.tif 000009
【図８】
2004110384.tif 000010
【図９】
2004110384.tif 000011
【図１０】
2004110384.tif 000012
【図１１】
2004110384.tif 000013
【図１２】
2004110384.tif 000014
【図１３】
2004110384.tif 000015
【図１４】
2004110384.tif 000016
【図１５】
2004110384.tif 000017
【図１６】
2004110384.tif 000018
【図１７】
2004110384.tif 000019
【図１８】
2004110384.tif 000020
【図１９】
2004110384.tif 000021
【図２０】
2004110384.tif 000022
【図２１】
2004110384.tif 000023
【図２２】
2004110384.tif 000024